(57)【要約】【課題】収納扉に取り付けられる引手において、収納扉の外観を簡素化するとともに、使用者の指を安定させた状態で違和感なく収納扉の開閉操作を行うことができるようにする。【解決手段】引手２は、扉取付部２０が収納扉１２の戸先部１３に対し外嵌合状態で取付固定されている。扉取付部２０の基部２１には、戸先方向Ａに向かって所定の突出高さｈ１になるように突設された台座部３０が設けられている。台座部３０の表側隅角部３２ａには、収納扉１２の表面１２ａ側に位置する扉取付部２０の隅角部２２ａから台座部３０の突出端部３１に亘って面取り状の指支持部３４が設けられている。指支持部３４は、開口Ｍから挿入空間Ｓ内に挿入されて指掛け部４３に掛けられた使用者の手甲側の指Ｆを台座部３０に支持するように構成されている。【選択図】図２
2018111954.tif 000002
【特許請求の範囲】
【請求項１】
収納庫本体の前側開口部を開閉する収納扉の戸先部に取り付けられ、使用者の指で該収納扉の開閉操作を行うための引手であって、
前記収納扉の戸先部に対し外嵌合状態で取付固定される扉取付部と、
前記扉取付部において前記収納扉の戸先側に位置する部分に該収納扉の戸先方向に向かって所定の突出高さになるように突設された台座部と、
前記台座部の裏側隅角部から前記収納扉の戸先方向に向かった後に該収納扉の表面側に向かって延びる指挿入部と、
前記指挿入部の先端部から前記台座部に向かって前記収納扉の戸尻方向に突出する凸状の指掛け部と、を備え、
前記台座部と前記指挿入部との間には、前記指掛け部の端部と該台座部の表側隅角部との間の開口から使用者の指を挿入可能な挿入空間が形成されており、
前記台座部は、前記収納扉の表面側に位置する表側隅角部と該収納扉の裏面側に位置する裏側隅角部とを有していて、該両隅角部間に亘る範囲を該収納扉の幅方向に延びており、
前記台座部の表側隅角部には、前記収納扉の表面側に位置する前記扉取付部の隅角部から該台座部の突出端部に亘って面取り状の指支持部が設けられており、
前記指支持部は、前記開口から挿入空間内に挿入されて前記指掛け部に掛けられた使用者の手甲側の指を該台座部に支持するように構成されている、引手。
【請求項２】
請求項１に記載の引手において、
前記指支持部は、前記台座部の突出高さ以上の半径で断面円弧状に面取りされた曲面に形成されている、引手。
【請求項３】
請求項１に記載の引手において、
前記指支持部は、前記台座部の突出高さと同じ寸法で平面状に面取りされた平坦面に形成されている、引手。
【請求項４】
請求項１〜３のいずれか１項に記載の引手において、
前記指支持部は、前記台座部の材質よりも軟らかい軟質材からなる、引手。
【請求項５】
請求項１〜４のいずれか１項に記載の引手において、
前記台座部の内部には、前記収納扉の上下方向に沿って延びる中空状の空洞部が設けられている、引手。
【請求項６】
請求項１〜５のいずれか１項に記載の引手を備えた、収納扉。
【発明の詳細な説明】
【技術分野】
【０００１】
本発明は、引手およびそれを用いた収納扉に関するものである。
【背景技術】
【０００２】
従来、室内設置用の収納庫の前側開口部を開閉する収納扉に取り付けられる引手として、例えば特許文献１のようなものが提案されている。
【０００３】
特許文献１には、指掛部及び収納扉の厚さ方向に向かって薄板状に延びる連結部を有する取手本体と、該取手本体とは別体で形成された取付部材とを備え、取付部材を取手本体の連結部に連結手段で連結しかつ取付部材の固定部を収納扉裏面に当接させて固定することにより、取手本体が取付部材を介して収納扉に取り付けられた取っ手が開示されている。取手本体の連結部と取手本体の立壁部との間には、指掛部の端部と収納扉の表面側において取っ手本体の連結部の隅角部（以下、表側隅角部という）との間の開口から使用者の指を挿入可能な挿入空間が形成されている。
【先行技術文献】
【特許文献】
【０００４】
【特許文献１】特開２００４−２３２２８４号公報
【発明の概要】
【発明が解決しようとする課題】
【０００５】
特許文献１の取っ手は、取付部材が収納扉の戸先部に対し取付固定された状態で収納扉に取り付けられているため、収納扉の表面側にハンドル部材を別途設けることなく、収納扉の外観が簡素化されている。
【０００６】
しかしながら、特許文献１の取っ手では、取手本体における連結部の表側隅角部にごく小さなアール形状が形成されているが、十分に角処理されているとはいえず、依然として連結部の表側隅角部が尖った形状になっていた。このため、特許文献１の取っ手では、使用者が指を開口から挿入空間内に挿入して指掛部に掛けたときに、使用者の手甲側の指が連結部の表側隅角部に接触して集中的な圧力を受けることになってしまう。その結果、収納扉の開閉操作時において、連結部の表側隅角部の位置で使用者の手甲側の指に局所的な痛みが発生し、連結部の表側隅角部に使用者の手甲側の指を十分に安定させることができないことから、使用者は不安定な状態のままで指の痛みに耐えながら収納扉の開閉操作を行わなければならなかった。
【０００７】
本発明は斯かる点に鑑みてなされたものであり、その目的は、収納扉の外観を簡素化するとともに、使用者の指を安定させた状態で違和感なく収納扉の開閉操作を行えるようにすることにある。
【課題を解決するための手段】
【０００８】
上記の目的を達成するために、本発明では、扉取付部と指挿入部との間の構造に工夫を加えることで、使用者の指を安定させた状態で開閉操作を行えるようにした。
【０００９】
具体的に、本発明の第１の形態は、収納庫本体の前側開口部を開閉する収納扉の戸先部に取り付けられ、使用者の指で該収納扉の開閉操作を行うための引手である。この引手は、収納扉の戸先部に対し外嵌合状態で取付固定される扉取付部と、扉取付部において収納扉の戸先側に位置する部分に該収納扉の戸先方向に向かって所定の突出高さになるように突設された台座部と、台座部の裏側隅角部から収納扉の戸先方向に向かった後に収納扉の表面側に向かって延びる指挿入部と、指挿入部の先端部から台座部に向かって収納扉の戸尻方向に突出する凸状の指掛け部と、を備えている。台座部と指挿入部との間には、指掛け部の端部と該台座部の表側隅角部との間の開口から使用者の指を挿入可能な挿入空間が形成されている。台座部は、収納扉の表面側に位置する表側隅角部と該収納扉の裏面側に位置する裏側隅角部とを有していて、該両隅角部間に亘る範囲を該収納扉の幅方向に延びている。台座部の表側隅角部には、収納扉の表面側に位置する扉取付部の隅角部から該台座部の突出端部に亘って面取り状の指支持部が設けられている。そして、指支持部は、開口から挿入空間内に挿入されて指掛け部に掛けられた使用者の手甲側の指を台座部に支持するように構成されていることを特徴とする。
【００１０】
第１の形態では、扉取付部が収納扉の戸先部に対し外嵌合状態で取付固定されていることから、収納扉の表面側にハンドル部材を別途設ける必要がなく、収納扉の表面を一様な平坦面にして、収納扉の外観を簡素化することができる。また、台座部の表側隅角部には、収納扉の表面側に位置する扉取付部の隅角部から台座部の突出端部に亘って面取り状の指支持部が設けられている。すなわち、台座部の突出高さの範囲に亘って比較的大きく面取りされた指支持部が台座部の表側隅角部に形成されている。このため、使用者が引手で収納扉の開閉操作を行う際、使用者の指が開口から挿入空間内に挿入されて指掛け部に掛けられた状態において、使用者の手甲側の指が指支持部に対し面接触するようになる。この面接触により、開閉操作時に台座部の表側隅角部からの圧力が使用者の手甲側の指に対し広範囲に分散される。その結果、使用者の手甲側の指における局所的な痛みの発生が抑えられる。したがって、第１の形態によれば、収納扉の外観を簡素化することができるとともに、使用者の指を安定させた状態で違和感なく収納扉の開閉操作を行うことができる。
【００１１】
第２の形態は、第１の形態において、指支持部は、台座部の突出高さ以上の半径で断面円弧状に面取りされた曲面に形成されていることを特徴とする。
【００１２】
第２の形態では、収納扉の開閉操作時に使用者の手甲側の指が台座部の突出高さの範囲に亘って比較的大きく面取りされた曲面に接触するため、使用者の手甲側の指における局所的な痛みの発生を適切に抑えることができる。
【００１３】
第３の形態は、第１の形態において、指支持部は、台座部の突出高さと同じ寸法で平面状に面取りされた平坦面に形成されていることを特徴とする。
【００１４】
第３の形態では、収納扉の開閉操作時に使用者の手甲側の指が台座部の突出高さの範囲に亘って比較的大きく面取りされた平坦面に接触するため、使用者の手甲側の指における局所的な痛みの発生を適切に抑えることができる。
【００１５】
第４の形態は、第１〜第３の形態のいずれか１つの形態において、指支持部は、台座部の材質よりも軟らかい軟質材からなることを特徴とする。
【００１６】
第４の形態では、開閉操作時に使用者の手甲側の指を面接触状態で軟質材からなる指支持部に対し柔軟に当接させることが可能となり、使用者の手甲側の指における局所的な痛みの発生を十分に抑えることができる。
【００１７】
第５の形態は、第１〜第４の形態のいずれか１つの形態において、台座部の内部には、収納扉の上下方向に沿って延びる中空状の空洞部が設けられていることを特徴とする。
【００１８】
第５の形態では、台座部の内部に設けられた空洞部により、台座部の突出高さが所定の高さに確保されるため、面取り状の指支持部を、台座部の突出高さの範囲に亘って台座部の表側隅角部に形成しやすくすることができる。また、空洞部を設けることにより、引手の材料費を抑制し、かつ引手の軽量化を図ることも可能となる。
【００１９】
第６の形態は、第１〜第５の形態のいずれか１つの引手を備える、収納扉である。
【００２０】
この第６の形態では、上記第１〜第５の形態と同様の作用効果を奏する収納扉を得ることができる。
【発明の効果】
【００２１】
以上説明したように、本発明によると、収納扉の外観を簡素化することができるとともに、使用者の指を安定させた状態で違和感なく収納扉の開閉操作を行うことができる。
【図面の簡単な説明】
【００２２】
【図１】図１は、本発明の実施形態１に係る引手およびそれを備えた収納庫の全体斜視図である。
【図２】図２は、収納扉の戸先部に取り付けられた状態の引手の横断面図である。
【図３】図３は、実施形態１の変形例に係る引手の図２相当図である。
【図４】図４は、本発明の実施形態２に係る引手の図２相当図である。
【図５】図５は、本発明の実施形態３に係る引手の図２相当図である。
【図６】図６は、その他の実施形態に係る収納扉およびそれを備えた収納庫の図１相当図である。
【発明を実施するための形態】
【００２３】
以下、本発明の実施形態を図面に基づいて詳細に説明する。以下の各実施形態の説明は、本質的に例示に過ぎず、本発明、その適用物或いはその用途を制限することを意図するものではない。
【００２４】
［実施形態１］
図１は、本発明の実施形態に係る引手２およびこの引手２を有する収納庫１の全体を示している。この収納庫１は、例えば玄関、キッチン、リビング、寝室などの室内に設置される収納庫として用いられる。
【００２５】
図１に示すように、収納庫１は、箱状の収納庫本体３を備えている。収納庫本体３は、左右の側板４，４と、両側板４，４の下端部間に架け渡されて配置された水平方向の底板５と、両側板４，４の上部間に架け渡されて配置された水平方向の天板６と、両側板４，４の後端部間に架け渡されて配置された垂直方向の背板７と、両側板４，４の上下方向中央部間に架け渡されて配置された水平方向の棚板８，８とを有している。左右の側板４，４、底板５、天板６、背板７、および棚板８，８の各々は、例えばＭＤＦ、合板、ＬＶＬ、ＬＶＳ、パーティクルボード等の木質材料からなる。
【００２６】
収納庫本体３は前側に開口する前側開口部１１，１１，…を有していて、前側開口部１１，１１，…には片開きの収納扉１２が取り付けられている。収納扉１２は、例えばＭＤＦ、合板、ＬＶＬ、ＬＶＳ、パーティクルボード等の木質材料からなり、戸尻部１４がヒンジ部（図示せず）により左側の側板４の前端部に取付固定された状態で戸先部１３が前側開口部１１，１１，…に対し左右方向（図１に示す矢印方向を参照）に開閉可能に構成されている。
【００２７】
次に、図１に示すように、上記引手２は、使用者の指Ｆ（図２参照）で収納扉１２の開閉操作を行うためのものであり、収納扉１２の戸先部１３に配設されている。引手２は、例えばアルミニウムの押出し成形により所定の断面形状に形成されていて、収納扉１２の上下方向に沿って戸先部１３の上端部から下端部に亘って延びている。
【００２８】
図２に示すように、引手２は、収納扉１２の戸先部１３に対し外嵌合状態で取付固定される扉取付部２０を備えている。具体的に、扉取付部２０は、収納扉１２の戸先部１３側に位置する板状の基部２１を有していて、基部２１が戸先部１３の先端面に当接した状態で収納扉１２の戸先部１３に取り付けられている。
【００２９】
収納扉１２の厚み方向における基部２１の両端部（すなわち、扉取付部２０の両隅角部２２ａ，２２ｂ）には、各端部から収納扉１２の戸尻方向Ｂに向かって延びる板状の短辺部２３および長辺部２４がそれぞれ設けられている。具体的に、短辺部２３は、収納扉１２の表面１２ａ側に配置されている一方、長辺部２４は、収納扉１２の裏面１２ｂ側に配置されている。また、長辺部２４には、収納扉１２裏面１２ｂに対し扉取付部２０を取付固定するビス（図示せず）を挿入するためのビス挿入孔２５，２５，…が収納扉１２の上下方向（引手２の長手方向）に沿って所定の間隔をあけて貫通形成されている。
【００３０】
また、引手２は、扉取付部２０の基部２１と一体に設けられた台座部３０を備えている。台座部３０は、収納扉１２の戸先方向Ａに向かって所定の突出高さｈ１になるように突設されている。この突出高さｈ１は、扉取付部２０の基部２１の厚みよりも大きい。具体的に、この実施形態における台座部３０は、突出高さｈ１が短辺部２３外面と長辺部２４外面との距離の約半分の大きさになるように形成されている。
【００３１】
台座部３０は、収納扉１２の表面１２ａ側に位置する表側隅角部３２ａ（図２に示す破線部を参照）と、収納扉１２の裏面１２ｂ側に位置する裏側隅角部３２ｂとを有している。そして、台座部３０は、両隅角部３２ａ，３２ｂ間に亘る範囲において収納扉１２の幅方向に延びている。
【００３２】
台座部３０の内部には、収納扉１２の上下方向（引手２の長手方向）に沿って延びる中空状の空洞部３３が設けられている。空洞部３３は、戸先方向Ａの間隔ｗ１が扉取付部２０の基部２１の厚みよりも大きくなるように形成されている。この実施形態において、空洞部３３の間隔ｗ１は、扉取付部２０の基部２１における厚みの約９倍の大きさに形成されている。
【００３３】
また、引手２は、台座部３０と一体に設けられた指挿入部４０を備えている。この指挿入部４０は、台座部３０の裏側隅角部３２ｂから収納扉１２の戸先方向Ａに向かった後に収納扉１２の表面１２ａ側に向かって延びている。具体的に、指挿入部４０は、台座部３０の裏側隅角部３２ｂから収納扉１２の戸先方向Ａに向かって延びる板状の第１壁部４１と、第１壁部４１の先端部から収納扉１２の表面１２ａ側に向かって延びる板状の第２壁部４２（指挿入部４０の先端部）とを有している。
【００３４】
また、引手２は、使用者が収納扉１２の開閉操作を行うときに使用者の指Ｆを引っ掛けて収納扉１２を使用者の手前側に引き寄せるための指掛け部４３を備えている。この指掛け部４３は、第２壁部４２の端部から台座部３０に向かって収納扉１２の戸尻方向Ｂに突出する凸状に形成されている。より具体的に、指掛け部４３は、戸尻方向Ｂの長さが指挿入部４０の第１壁部４１よりも短く形成され、かつ端部４３ａが戸尻方向Ｂに向かって収納扉１２の裏面１２ｂ側に向かうように湾曲状に形成されている。
【００３５】
指掛け部４３の端部４３ａと台座部３０の表側隅角部３２ａとの間には開口Ｍが形成されている。この開口Ｍは、引手２の上端部から下端部に亘って上下方向に延びている（図１参照）。また、台座部３０と指挿入部４０との間には、開口Ｍから使用者の指Ｆを挿入可能な挿入空間Ｓが形成されている。すなわち、引手２は、開口Ｍから挿入空間Ｓ内に挿入された使用者の指Ｆが指掛け部４３に掛けられるように構成されている。
【００３６】
次に、本発明の特徴として、台座部３０の表側隅角部３２ａには、開口Ｍから挿入空間Ｓ内に挿入されて指掛け部４３に掛けられた使用者の手甲側の指Ｆを台座部３０に支持する指支持部３４が設けられている。この指支持部３４は、収納扉１２の表面１２ａ側に位置する扉取付部２０の隅角部２２ａから台座部３０の突出端部３１に亘って面取り状に形成されている。この実施形態において、指支持部３４は、台座部３０と同じ材質（アルミニウム）からなり、かつ台座部３０と一体形成されている。
【００３７】
そして、指支持部３４は、台座部３０の突出高さｈ１と同じ半径で断面円弧状に面取りされた曲面に形成されている。すなわち、指支持部３４は、面取り部分が比較的大きい曲面形状になるように構成されている。
【００３８】
（実施形態１の作用効果）
以上のように、引手２では、扉取付部２０が収納扉１２の戸先部１３に対し外嵌合状態で取付固定されていることから、収納扉１２の表面１２ａ側にハンドル部材を別途設ける必要がなく、収納扉１２の表面１２ａを一様な平坦面にして、収納扉１２の外観を簡素化することができる。また、台座部３０の表側隅角部３２ａには、収納扉１２の表面１２ａ側に位置する扉取付部２０の隅角部２２ａから台座部３０の突出端部３１に亘って面取り状の指支持部３４が設けられている。すなわち、台座部３０の突出高さｈ１の範囲に亘って比較的大きく面取りされた指支持部３４が台座部３０の表側隅角部３２ａに形成されている。このため、使用者が引手２で収納扉１２の開閉操作を行う際、使用者の指Ｆが開口から挿入空間Ｓ内に挿入されて指掛け部４３に掛けられた状態において、使用者の手甲側の指Ｆが指支持部３４に対し面接触するようになる。この面接触により、開閉操作時に台座部３０の表側隅角部３２ａからの圧力が使用者の手甲側の指Ｆに対し広範囲に分散される。その結果、使用者の手甲側の指Ｆにおける局所的な痛みの発生を抑えられる。したがって、この引手２によれば、収納扉１２の外観を簡素化することができるとともに、使用者の指Ｆを安定させた状態で違和感なく収納扉１２の開閉操作を行うことができる。
【００３９】
また、この実施形態に係る引手２では、指支持部３４が台座部３０の突出高さｈ１と同じ半径で断面円弧状に面取りされた曲面に形成されている。すなわち、収納扉１２の開閉操作時に、使用者の手甲側の指Ｆが台座部３０の突出高さｈ１の範囲に亘って比較的大きく面取りされた曲面に接触する。このため、使用者の手甲側の指Ｆにおける局所的な痛みの発生を適切に抑えることができる。
【００４０】
さらに、台座部３０内に設けられた空洞部３３により、台座部３０の突出高さｈ１が所定の高さに確保されるため、面取り状の指支持部３４を、台座部３０の突出高さｈ１の範囲に亘って台座部３０の表側隅角部３２ａに形成しやすくなる。また、空洞部３３を設けることにより、引手２の材料費を抑制し、かつ引手２の軽量化を図ることも可能となる。
【００４１】
（実施形態１の変形例）
図３は、実施形態１の変形例を示すものであり、この変形例において、台座部３０は、突出高さｈ２が上記実施形態で示した突出高さｈ１よりも低くなるように形成されている。具体的に、空洞部３３の間隔ｗ２が扉取付部２０の基部２１における厚みの約２倍の大きさに形成されている。このような変形例でも、台座部３０は、突出高さｈ２が扉取付部２０の基部２１の厚みよりも大きくなるように形成されていて、面取り状の指支持部３４を、台座部３０の突出高さｈ２の範囲に亘って表側隅角部３２ａに形成することが可能となる。したがって、この変形例に係る引手２でも、上記実施形態１と同様の作用効果を奏し得る。
【００４２】
なお、この変形例と上記実施形態１との異なる構成として、扉取付部２０の各基部２１は、扉取付部２０の両隅角部２２ａ，２２ｂの各々から収納扉１２の厚み方向に向かって収納扉１２の戸先部１３の先端面を部分的に覆うように延びている。しかし、基部２１，２１は、この変形例で示した構成に限定されず、上記実施形態１と同様の形態でもよい。
【００４３】
［実施形態２］
図４は、本発明の実施形態２に係る引手２を示すものである。この実施形態では、上記実施形態１と比較して、指支持部３４の形状が異なっている。なお、この実施形態に係る引手２の他の構成は、上記実施形態に係る引手２の構成と同様である。このため、以下の説明では、図１〜図３と同じ部分について同じ符号を付し、その詳細な説明を省略する。
【００４４】
図４に示すように、この実施形態では、指支持部３４が台座部３０の突出高さｈ３と同じ寸法で平面状に面取りされた平坦面（いわゆるＣ面）に形成されている。そして、収納扉１２の開閉操作時に、使用者の手甲側の指Ｆが台座部３０の突出高さｈの範囲に亘って比較的大きく面取りされた平坦面に接触する。このような平坦面に形成された指支持部３４であっても、上記実施形態１と同様に、使用者の手甲側の指Ｆにおける局所的な痛みの発生を適切に抑えることができる。なお、この実施形態では、空洞部３３の間隔ｗ３が扉取付部２０の基部２１における厚みの約４倍の大きさに形成されている。
【００４５】
［実施形態３］
図５は、本発明の実施形態３に係る引手２を示すものである。この実施形態では、上記実施形態１と比較して、指支持部３４の材質が異なっている。なお、この実施形態に係る引手２の他の構成は、上記実施形態に係る引手２の構成と同様である。このため、以下の説明では、図１〜図３と同じ部分について同じ符号を付し、その詳細な説明を省略する。
【００４６】
図５に示すように、この実施形態において、指支持部３４は、台座部３０の材料（例えばアルミニウム）よりも軟らかい軟質材からなる。具体的に、指支持部３４は例えば軟質の樹脂部材からなり、この樹脂部材はアルミニウムとの複合的な押出し成形により台座部３０と一体形成される。したがって、この実施形態に係る引手２によれば、開閉操作時に使用者の手甲側の指Ｆを面接触状態で軟質材からなる指支持部３４に対し柔軟に当接させることが可能となり、指Ｆにおける局所的な痛みの発生を十分に抑えることができる。なお、上記例示した樹脂部材は、台座部３０と一体形成された形態に限られず、台座部３０の表側隅角部３２ａの位置に別途配設されるような形態であってもよい。
【００４７】
［その他の実施形態］
上記実施形態１に係る引手２では、指支持部３４が台座部３０の突出高さｈ１と同じ半径で断面円弧状に面取りされた曲面に形成された形態を示したが、この形態に限られない。すなわち、上記実施形態１において、指支持部３４は、台座部３０の突出高さｈ１以上の半径で断面円弧状に面取りされた曲面に形成されていればよい。上記実施形態１の変形例に係る引手２についても同様である。
【００４８】
また、上記実施形態３では、上記実施形態１で示した指支持部３４を、樹脂材料（軟質材）からなる構成に置き換えた形態を示したが、この形態に限られない。すなわち、上記実施形態１の変形例または上記実施形態２でそれぞれ示した指支持部３４を、樹脂材料（軟質材）からなる構成に置き換えてもよい。
【００４９】
また、上記各実施形態では、台座部３０内に空洞部３３が形成された引手２を示したが、この形態に限られず、台座部３０内に空洞部３３が形成されていない形態であってもよい。
【００５０】
また、上記各実施形態では、収納扉１２がＭＤＦ、合板、ＬＶＬ、ＬＶＳ、パーティクルボード等の木質材料からなる形態を示したが、この形態に限られない。例えば、収納扉１２は、上記木質材料からなる扉本体と、該扉本体と略同面積の表面積を有する板状のミラーとを備えるミラー扉（図示せず）であってもよい。そして、このミラーは、ミラー裏面が扉本体の表面に対し接着剤などで固着された状態でミラー表面が収納扉１２の表面１２ａの位置に対応するように配設されていればよい。
【００５１】
さらに、上記各実施形態に係る収納庫１では、左右方向に開閉可能な片開きの収納扉１２を収納庫本体３の前側開口部１１，１１，…に取り付けた形態を示したが、この形態に限られない。すなわち、両開きの収納扉１２，１２を収納庫本体３の前側開口部１１，１１に取り付けた形態であってもよい。例えば、図６に示すように、収納扉１２，１２の各々を、図示しないヒンジ部を底板５の前端部および天板６の前端部のそれぞれに取り付けた状態で棚板８を有する収納庫本体３の前側開口部１１，１１に対し上下方向（図６に示す矢印方向）に開閉可能に構成すればよい。このような両開きの収納扉１２，１２を備えた収納庫１であっても、各収納扉１２の戸先部１３に設けられた引手２により上記各実施形態と同様の効果を奏しうる。なお、両開きの収納扉１２，１２としては、図６に示した上下方向に開閉可能な形態に限定されず、左右方向に開閉可能な形態であってもよい。
【００５２】
以上、本発明についての実施形態を説明したが、本発明は上述の実施形態のみに限定されず、発明の範囲内で種々の変更が可能である。
【産業上の利用可能性】
【００５３】
本発明は、室内設置用の収納庫に適用される引手およびそれを用いた収納扉として産業上の利用が可能である。
【符号の説明】
【００５４】
１：収納庫
２：引手
３：収納庫本体
１１：前側開口部
１２：収納扉
１３：戸先部
２０：扉取付部
３０：台座部
３１：突出端部
３２ａ：表側隅角部
３２ｂ：裏側隅角部
３３：空洞部
３４：指支持部
４０：指挿入部
４１：第１壁部
４２：第２壁部
４３：指掛け部
ｈ１，ｈ２，ｈ３：突出高さ
Ｍ：開口
Ｓ：挿入空間
【図１】
2018111954.tif 000003
【図２】
2018111954.tif 000004
【図３】
2018111954.tif 000005
【図４】
2018111954.tif 000006
【図５】
2018111954.tif 000007
【図６】
2018111954.tif 000008